【手続補正書】
【提出日】平成17年10月13日(2005.10.13)
【手続補正１】
【補正対象書類名】特許請求の範囲
【補正対象項目名】全文
【補正方法】変更
【補正の内容】
【特許請求の範囲】
【請求項１】
下記を具備するＣＤＭＡ通信システムにおいて、最良のサービングセクターを選択するための方法：
複数のアクティブセクターから受信した複数の信号レベルを現在のサービングセクターの信号レベルと比較し、差分を生成する；
前記差分に基づいて前記複数のアクティブセクターの各々のためのデルタクレジットを発生する；
複数のデルタクレジットを累積し、累積された合計クレジットを生成する；
前記累積された合計クレジットから前記最良のサービングセクターを識別する。
【請求項２】
前記複数のアクティブセクターから受信した前記複数の信号レベルは、固定速度の信号レベルと可変速度の信号レベルを具備する、請求項１の方法。
【請求項３】
前記比較ステップの前に、前記固定速度信号レベルを調節し、調節された固定速度信号レベルを生成するステップをさらに具備する、請求項２の方法。
【請求項４】
前記識別するステップの前に、前記複数のデルタクレジットを正当と認めるステップをさらに具備する、請求項３の方法。
【請求項５】
複数のＤＲＣロックビットを受信するステップと；
前記可変速度信号を調節し、調節された可変速度信号レベルを生成するステップをさらに具備する、請求項４の方法。
【請求項６】
前記複数のアクティブセクターから最高の可変速度モードを有するセクターを決定するステップと；
前記複数のアクティブセクターから最高の固定速度モードを有するセクターを決定するステップと；
をさらに具備する、請求項５の方法。
【請求項７】
好適モードを決定するステップをさらに具備する、請求項６の方法。
【請求項８】
下記を具備する、ＣＤＭＡ通信システムにおいて、最良のサービングセクターを選択するための装置：
複数のアクティブセクターから受信した複数の信号レベルを現在のサービングセクターの信号レベルと比較し、差分を生成する手段；
前記差分に基づいて、前記複数のアクティブセクターの各々のためのデルタクレジットを発生する手段；
複数のデルタクレジットを累積し、累積された合計クレジットを生成する手段；
前記累積された合計クレジットから前記最良のサービングセクターを識別する手段。
【請求項９】
前記複数のアクティブセクターから受信した前記複数の信号レベルは、固定速度信号レベルおよび可変速度信号レベルを具備する、請求項８の装置。
【請求項１０】
前記固定速度信号レベルを調節し、調節された固定速度信号レベルを生成する手段をさらに具備する、請求項９の装置。
【請求項１１】
前記複数のデルタクレジットを正当と認める手段をさらに具備する、請求項１０の装置。
【請求項１２】
複数のＤＲＣロックビットを受信する手段と；
前記可変速度信号を受信し、調節された可変速度信号レベルを生成する手段と；
をさらに具備する、請求項１１の装置。
【請求項１３】
前記複数のアクティブセクターから最高の可変速度モードを有するセクターを決定する手段と；
前記複数のアクティブセクターから最高の固定速度モードを有するセクターを決定する手段と；
をさらに具備する、請求項１２の装置。
【請求項１４】
好適モードを決定する手段をさらに具備する、請求項１３の装置。
【請求項１５】
下記ステップを具備する、ＣＤＭＡ通信システムにおいて、最良のサービングセクターを選択する方法：
複数のアクティブセクターから受信した複数の信号レベルを、現在のサービングセクターの信号レベルと比較し、差分を生成する、前記複数の信号レベルは固定速度信号レベルおよび可変速度信号レベルを具備する；
前記差分に基づいて前記複数のアクティブセクターの各々のためのデルタクレジットを発生する；
複数の前記デルタクレジットを累積し、累積された合計クレジットを生成する；
前記累積された合計クレジットを正当と認め、最終クレジット合計を生成する；
前記最終クレジット合計から前記最良のサービングセクターを識別する。
【請求項１６】
前記比較するステップの前に、前記固定速度信号レベルを調節し、調節された固定速度信号レベルを生成するステップをさらに具備する、請求項１５の方法。
【請求項１７】
複数のＤＲＣロックビットを受信するステップと；
前記可変速度信号を調節し調節された可変速度信号レベルを生成するステップと；
をさらに具備する、請求項１６の方法。
【請求項１８】
前記複数のアクティブセクターから最高の可変速度モードを有するセクターを決定するステップと；
前記複数のアクティブセクターから最高の固定速度モードを有するセクターを決定するステップと；
をさらに具備する、請求項１７の方法。
【請求項１９】
好適モードを決定するステップをさらに具備する、請求項１６の方法。
【請求項２０】
下記ステップを具備する、ＣＤＭＡ通信システムにおいて、最良のサービングセクターを選択する方法：
複数のアクティブセクターから受信した複数の信号レベルを決定する、前記複数の信号レベルは、固定速度信号レベルおよび可変速度信号レベルを具備する；
前記固定速度信号レベルを調節し、調節された固定速度信号レベルを生成する；
前記複数のアクティブセクターから受信した前記複数の信号レベルを、現在のサービングセクターの信号レベルと比較し、差分を生成する；
前記差分に基づいて前記複数のアクティブセクターの各々のためのデルタクレジットを発生する；
複数の前記デルタクレジットを累積し、累積された合計クレジットを生成する；
前記複数のアクティブセクターのための複数のＤＲＣロックビットを受信する；
前記複数のＤＲＣロックビットに基づいて、前記累積された合計クレジットを正当と認め、最終クレジット合計を生成する；
前記最終クレジット合計から前記最良のサービングセクターを識別する。
【請求項２１】
前記複数のアクティブセクターから最高の可変速度モードを有するセクターを決定するステップと；
前記複数のアクティブセクターから最高の固定速度モードを有するセクターを決定するステップと；
をさらに具備する、請求項２０の方法。
【請求項２２】
好適モードを決定するステップをさらに具備する請求項２１の方法。
【請求項２３】
ＣＤＭＡ通信システムにおいて、最良のサービングセクターを選択するための方法を実施するためのコンピュータープログラムを含むコンピューター読み出し可能媒体において、前記コンピュータープログラムは下記を具備する：
複数のアクティブセクターから受信した複数の信号レベルを現在のサービングセクターの信号レベルと比較し、差分を生成する第１のコードセグメントと；
前記差分に基づいて前記複数のアクティブセクターの各々のためのデルタクレジットを発生する第２のコードセグメントと；
複数のデルタクレジットを累積し、累積された合計クレジットを生成する第３のコードセグメントと；
前記累積された合計クレジットから前記最良のサービングセクターを識別する第４のコードセグメント。
【請求項２４】
前記複数のアクティブセクターから受信した前記複数の信号レベルは、固定速度信号レベルおよび可変速度信号レベルを具備する、請求項２３のコンピューター読み出し可能媒体。
【請求項２５】
前記複数のアクティブセクターから受信した前記複数の信号レベルを、前記現在のサービングセクターの前記信号レベルと比較し前記差分を生成する前に、前記固定速度信号レベルを調節し、調節された固定速度信号レベルを生成する第５のコードセグメントをさらに具備する、請求項２４のコンピューター読み出し可能媒体。
【請求項２６】
前記累積された合計クレジットから前記最良のサービングセクターを識別する前に前記複数のデルタクレジットを正当と認める第６のコードセグメントをさらに具備する、請求項２５のコンピューター読み出し可能媒体。
【請求項２７】
下記を具備する、ＣＤＭＡ通信システムにおける最良のサービングセクターを選択するためのアクセス端末：
現在のサービングセクターの固定レート信号レベルからオフセット値を差し引き、すべてのセクターに対して調節された固定レート信号レベルを発生する信号レベル推定器；
複数のアクティブセクターから受信した複数の信号レベルと、現在のサービングセクターの信号レベルとの間の差分を決定するための比較器；
調整された信号レベルを受信し差分を決定する比較器；
累積の期間にヒステリシスを適用し、累積された合計クレジットをクレジット承認モジュールに供給する累積器；および
前記累積された合計クレジットを受信し、候補セクターの集まりの中で最も高いソフトキーを有するセクターを選択する新しいセクター識別モジュール
【請求項２８】
最良のサービングセクターの出力および送信モードを供給するための最良のセクター識別子をさらに具備する、請求項２７のアクセス端末。
【請求項２９】
前記送信モードは、固定レートまたは可変レートとして最良のサービングセクター送信を識別する、請求項２８のアクセス端末。
【請求項３０】
平均ＲＰＣが閾値を越えるかどうかを評価し、差し引きが可変レート信号レベルに適用されるか否かを決定するためのＲＰＣフィルターをさらに具備する請求項２７のアクセス端末。